(57)【要約】【課題】複数の画像表示装置の様々な配置構成に対応した表示を可能としたマルチディスプレイ装置を提供する。【解決手段】マスター装置から、マルチディスプレイ装置の構成や画像表示装置の表示領域構成等に応じた画像データ処理用の制御信号を個々の画像表示装置に送信し、各画像表示装置が制御信号に含まれるデータを適用して自装置のディスプレイに表示すべき画像データ生成処理を実行する。例えば、マルチディスプレイ装置の構成に含まれる任意のスペースを持つオープン領域のスペース幅または高さ情報に基づく制御信号や、画像表示装置の有効表示領域などを考慮した制御信号によって、表示制御を行なう構成としたので、様々なマルチディスプレイシステム構成に応じた柔軟な表示制御が可能となる。【選択図】図４
2006338044.tif 000002
【特許請求の範囲】
【請求項１】
画像表示可能なディスプレイを有する画像表示装置を複数組み合わせたマルチディスプレイ装置であり、
前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信するマスター装置と、
前記マルチディスプレイ装置を構成する１以上の画像表示装置であり、
前記制御信号をマスター装置から受信し、該制御信号に含まれるデータを適用して自装置のディスプレイに表示すべき画像データ生成処理を実行する画像データ処理手段を有する画像表示装置と、
を有することを特徴とするマルチディスプレイ装置。
【請求項２】
前記マスター装置は、
前記マルチディスプレイ装置の構成に含まれる任意のスペースを持つオープン領域のスペース幅または高さ情報に基づいて前記制御信号を生成する構成であることを特徴とする請求項１に記載のマルチディスプレイ装置。
【請求項３】
前記マスター装置は、
前記画像表示装置の有効表示領域または該有効表示領域にオーバースキャン領域を加えた領域Ａまたは該領域Ａに非表示領域を加えた領域に対応した表示画像の切り出し構成に応じて前記制御信号を生成する構成であることを特徴とする請求項１に記載のマルチディスプレイ装置。
【請求項４】
前記マスター装置は、
画像表示領域設定用データおよび表示画像拡縮処理用データを含む画像データ処理用の制御信号を生成する構成であり、
前記マルチディスプレイ装置を構成する１以上の画像表示装置は、
前記制御信号に含まれる画像表示領域設定用データおよび表示画像拡縮処理用データを適用して自装置のディスプレイに表示すべき画像データ生成処理を実行する構成であることを特徴とする請求項１に記載のマルチディスプレイ装置。
【請求項５】
画像表示可能なディスプレイを有する画像表示装置を複数組み合わせたマルチディスプレイ装置におけるマルチディスプレイ制御方法であり、
マスター装置において、
前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信するステップと、
前記マルチディスプレイ装置を構成する１以上の画像表示装置において、
前記制御信号をマスター装置から受信し、該制御信号に含まれるデータを適用して自装置のディスプレイに表示すべき画像データ生成処理を実行するステップと、
を有することを特徴とするマルチディスプレイ制御方法。
【請求項６】
前記マスター装置は、
前記マルチディスプレイ装置の構成に含まれる任意のスペースを持つオープン領域のスペース幅または高さ情報に基づいて前記制御信号を生成することを特徴とする請求項５に記載のマルチディスプレイ制御方法。
【請求項７】
前記マスター装置は、
前記画像表示装置の有効表示領域または該有効表示領域にオーバースキャン領域を加えた領域Ａまたは該領域Ａに非表示領域を加えた領域に対応した表示画像の切り出し構成に応じて前記制御信号を生成することを特徴とする請求項５に記載のマルチディスプレイ制御方法。
【請求項８】
前記マスター装置は、
画像表示領域設定用データおよび表示画像拡縮処理用データを含む画像データ処理用の制御信号を生成し、
前記マルチディスプレイ装置を構成する１以上の画像表示装置は、
前記制御信号に含まれる画像表示領域設定用データおよび表示画像拡縮処理用データを適用して自装置のディスプレイに表示すべき画像データ生成処理を実行することを特徴とする請求項５に記載のマルチディスプレイ制御方法。
【請求項９】
画像表示可能なディスプレイを有する画像表示装置を複数組み合わせたマルチディスプレイ装置において、マルチディスプレイ制御処理を実行させるコンピュータ・プログラムであり、
マスター装置において、前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信させるステップと、
前記マルチディスプレイ装置を構成する１以上の画像表示装置において、前記制御信号をマスター装置から受信させ、該制御信号に含まれるデータを適用して自装置のディスプレイに表示すべき画像データ生成処理を実行させるステップと、
を実行させることを特徴とするコンピュータ・プログラム。
【発明の詳細な説明】
【技術分野】
【０００１】
本発明は、マルチディスプレイ装置、およびマルチディスプレイ制御方法、並びにコンピュータ・プログラムに関する。さらに詳細には、単体で動作可能なディスプレイを複数個組み合わせた構成において、様々な態様での画像データ表示を実現可能としたマルチディスプレイ装置、およびマルチディスプレイ制御方法、並びにコンピュータ・プログラムに関する。
【背景技術】
【０００２】
複数の表示装置、例えばＣＲＴ、液晶表示装置等を組み合わせて構成したマルチディスプレイを適用して、大画面の画像表示を行なったり、あるいは、マルチディスプレイを構成する個々の表示装置にそれぞれ異なる画像データを表示するシステムとして、マルチディスプレイシステムが知られている。
【０００３】
一般にこのようなマルチディスプレイシステムは、例えば単一あるいは複数の画像データ・ソースから、マルチディスプレイシステムを構成する個々のディスプレイに対して、それぞれの表示用データを個別に提供し、個々のディスプレイが受信したデータを表示する構成をとっている。
【０００４】
マルチディスプレイシステムは、例えば水平方向にｎ個、垂直方向にｍ個のｎ個×ｍ個の複数ディスプレイ、例えばＣＲＴ、液晶表示装置等を配し、ｎ個×ｍ個のディスプレイ全体に１つの画像データを表示したり、ｎ×ｍのディスプレイを２分割、あるいは３分割して、それぞれの分割領域に異なる画像データを表示したり、あるいは、ｎ×ｍのディスプレイの個々にそれぞれ異なる画像データを表示する等、様々な画像データの表示を可能としている。
【発明の開示】
【発明が解決しようとする課題】
【０００５】
しかしながら、従来のマルチディスプレイシステムは、画像データを表示する複数のディスプレイの構成が予め決定されており、その構成は固定化されている。例えば水平方向にｎ個、垂直方向にｍ個のｎ×ｍのディスプレイを固定的に組み合わせたディスプレイシステムが設定され、この固定構成を持つ複数ディスプレイの各々にデータ・ソースから表示データを供給して様々な画像データの表示を行なうのが一般的である。
【０００６】
一旦、設定された複数ディスプレイの組合わせ構成を、システム設定後に変更することは困難となる。ディスプレイ組合わせ構成を変更する場合には、画像データを供給する制御装置の設定変更処理等、マルチディスプレイシステム全体の総入れ替えと同様のシステム変更処理を行なうことが必要となる。
【０００７】
また、従来のシステムにおいては、複数のディスプレイは集積した状態、すなわち個々のディスプレイが隣接あるいは近接した状態で組み合わされてマルチディスプレイを構成しているのが一般的であり、離間した位置にある複数のディスプレイを利用した表示を行なうものは見受けられない。
【０００８】
本発明は、上述の如き従来技術の問題点に鑑みてなされたものであり、複数の表示装置の組合わせによって構成されるマルチディスプレイ装置において、自在な構成変更を可能とし、また離間した位置にある表示装置であっても、他の表示装置との相対的位置関係に基づいて制御された表示データを表示可能として、様々な態様での画像データ表示を実現可能としたマルチディスプレイ装置、およびマルチディスプレイ制御方法、並びにコンピュータ・プログラムを提供することを目的とする。
【課題を解決するための手段】
【０００９】
本発明の第１の側面は、
画像表示可能なディスプレイを有する画像表示装置を複数組み合わせたマルチディスプレイ装置であり、
前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信するマスター装置と、
前記マルチディスプレイ装置を構成する１以上の画像表示装置であり、
前記制御信号をマスター装置から受信し、該制御信号に含まれるデータを適用して自装置のディスプレイに表示すべき画像データ生成処理を実行する画像データ処理手段を有する画像表示装置と、
を有することを特徴とするマルチディスプレイ装置にある。
【００１０】
さらに、本発明のマルチディスプレイ装置の一実施態様において、前記マスター装置は、前記マルチディスプレイ装置の構成に含まれる任意のスペースを持つオープン領域のスペース幅または高さ情報に基づいて前記制御信号を生成する構成であることを特徴とする。
【００１１】
さらに、本発明のマルチディスプレイ装置の一実施態様において、前記マスター装置は、前記画像表示装置の有効表示領域または該有効表示領域にオーバースキャン領域を加えた領域Ａまたは該領域Ａに非表示領域を加えた領域に対応した表示画像の切り出し構成に応じて前記制御信号を生成する構成であることを特徴とする。
【００１２】
さらに、本発明のマルチディスプレイ装置の一実施態様において、前記マスター装置は、画像表示領域設定用データおよび表示画像拡縮処理用データを含む画像データ処理用の制御信号を生成する構成であり、前記マルチディスプレイ装置を構成する１以上の画像表示装置は、前記制御信号に含まれる画像表示領域設定用データおよび表示画像拡縮処理用データを適用して自装置のディスプレイに表示すべき画像データ生成処理を実行する構成であることを特徴とする。
【００１３】
さらに、本発明の第２の側面は、
画像表示可能なディスプレイを有する画像表示装置を複数組み合わせたマルチディスプレイ装置におけるマルチディスプレイ制御方法であり、
マスター装置において、
前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信するステップと、
前記マルチディスプレイ装置を構成する１以上の画像表示装置において、
前記制御信号をマスター装置から受信し、該制御信号に含まれるデータを適用して自装置のディスプレイに表示すべき画像データ生成処理を実行するステップと、
を有することを特徴とするマルチディスプレイ制御方法にある。
【００１４】
さらに、本発明のマルチディスプレイ制御方法の一実施態様において、前記マスター装置は、前記マルチディスプレイ装置の構成に含まれる任意のスペースを持つオープン領域のスペース幅または高さ情報に基づいて前記制御信号を生成することを特徴とする。
【００１５】
さらに、本発明のマルチディスプレイ制御方法の一実施態様において、前記マスター装置は、前記画像表示装置の有効表示領域または該有効表示領域にオーバースキャン領域を加えた領域Ａまたは該領域Ａに非表示領域を加えた領域に対応した表示画像の切り出し構成に応じて前記制御信号を生成することを特徴とする。
【００１６】
さらに、本発明のマルチディスプレイ制御方法の一実施態様において、前記マスター装置は、画像表示領域設定用データおよび表示画像拡縮処理用データを含む画像データ処理用の制御信号を生成し、前記マルチディスプレイ装置を構成する１以上の画像表示装置は、前記制御信号に含まれる画像表示領域設定用データおよび表示画像拡縮処理用データを適用して自装置のディスプレイに表示すべき画像データ生成処理を実行することを特徴とする。
【００１７】
さらに、本発明の第３の側面は、
画像表示可能なディスプレイを有する画像表示装置を複数組み合わせたマルチディスプレイ装置において、マルチディスプレイ制御処理を実行させるコンピュータ・プログラムであり、
マスター装置において、前記マルチディスプレイ装置を構成する個々の画像表示装置に対して、前記マルチディスプレイ装置の構成、または前記画像表示装置の表示領域構成の少なくともいずれかの構成に応じた画像データ処理用の制御信号を送信させるステップと、
前記マルチディスプレイ装置を構成する１以上の画像表示装置において、前記制御信号をマスター装置から受信させ、該制御信号に含まれるデータを適用して自装置のディスプレイに表示すべき画像データ生成処理を実行させるステップと、
を実行させることを特徴とするコンピュータ・プログラムにある。
【００１８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００１９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２０】
本発明の一実施例の構成によれば、画像表示可能なディスプレイを有する画像表示装置を複数組み合わせたマルチディスプレイ装置において、マスター装置が、マルチディスプレイ装置の構成、あるいは画像表示装置の表示領域構成の少なくともいずれかの構成に応じた画像データ処理用の制御信号を、マルチディスプレイ装置を構成する個々の画像表示装置に対して送信し、各画像表示装置において制御信号を受信して、制御信号に含まれるデータを適用して自装置のディスプレイに表示すべき画像データ生成処理を実行する構成とした。具体的には、例えば、マルチディスプレイ装置の構成に含まれる任意のスペースを持つオープン領域のスペース幅または高さ情報に基づく制御信号や、画像表示装置の有効表示領域などを考慮した制御信号によって、表示制御を行なう構成としたので、様々なマルチディスプレイシステム構成に応じた柔軟な表示制御が可能となる。
【発明を実施するための最良の形態】
【００２１】
以下、本発明のマルチディスプレイ装置、およびマルチディスプレイ制御方法について、図面を参照しながら詳細に説明する。
【００２２】
図１は、本発明のマルチディスプレイ装置を構成する画像表示装置の組み合わせ例を示している。本発明のマルチディスプレイ装置は、例えば、図１（ａ）に示す画像表示装置１０１を組み込んだボックスと、（ｂ）に示す画像表示装置を組み込まないオープンボックス１０２の組合わせによって構成される。
【００２３】
その組み合わせ例を図１（ｃ−１）〜（ｃ−３）に示す。（ｃ−１）は、縦列に画像表示装置１１１〜１１５、およびオープンボックス１２１を重ね合わせたマルチディスプレイ装置構成例であり、（ｃ−２）は、縦および横列に３個とした３×３のボックス構成を設定し、右下端部のみをオープンボックス１３１として設定した、マルチディスプレイ装置構成例であり、（ｃ−３）は、横：４、縦：３とした４×３のボックス構成を設定し、左から３列目のみをオープンボックス１４１として設定した、マルチディスプレイ装置構成例を示している。なお、図１（ｃ−１）〜（ｃ−３）に示す例は、マルチディスプレイ装置構成例としての一部の例であり、この他にも様々な設定が可能である。
【００２４】
図２に、本発明のマルチディスプレイ装置を構成する画像表示装置単体のブロック図を示す。画像表示装置は、メモリ２１１、表示領域設定手段２１２、制御手段２１３、Ｎ倍密変換処理手段２１４、表示制御処理手段２１５を有する。
【００２５】
メモリ２１１は、画像データ供給元から入力される画像データを格納する。画像データ供給元から入力される画像データは、データを入力する画像表示装置自身が表示する画像領域のデータを含む画像データであり、例えばＮＴＳＣデコードされた画像データである。表示領域設定手段２１２は、メモリ２１１に格納された画像データから、画像表示装置自身が表示する画像領域データの切り出し処理としての表示領域設定処理を実行する。
【００２６】
表示領域設定手段２１２の表示領域設定処理は、制御手段２１３から供給される制御信号に基づいて実行される。制御手段２１３は、外部装置、例えばマルチディスプレイ装置の制御を実行するマスター装置、あるいは、リモコン等から制御信号を受信し、受信した制御信号を表示領域設定手段２１２に供給する。マスター装置、リモコンについては、後段で詳細に説明する。なお、自装置がマスターとして設定された場合には、制御手段２１３は、各種の制御信号、同期信号を生成し、自装置および他の画像表示装置に提供する場合もある。これらの構成については、後段で詳細に説明する。
【００２７】
表示領域設定手段２１２の実行する表示領域設定処理によって切り出された画像データは、Ｎ倍密変換処理手段２１４に提供され、切り出し画像の倍密変換処理、すなわち画像データの拡縮処理が実行される。倍密変換処理は、例えば高密度画像（ＨＤ画像）、低密度画像（ＳＤ画像）等、密度が異なる画像間の変換処理と同様の処理であり、高密度画像の有するライン数と低密度画像の有するライン数に応じて実行する画像変換処理である。この装置におけるＮ倍密変換処理手段２１４における切り出し画像の拡縮処理は、制御手段２１３がマスター装置、あるいは、リモコン等から受信し、制御手段２１３からＮ倍密変換処理手段２１４に出力される制御信号に基づいて実行される。
【００２８】
制御手段２１３から供給される制御信号と、表示領域設定手段２１２の実行する表示領域設定処理、およびＮ倍密変換処理手段２１４における切り出し画像の拡縮処理について、図３を参照して説明する。制御手段２１３がマスター装置、あるいは、リモコン等から受信する制御信号には、以下のデータが含まれる。
【００２９】
画像切り出し開始位置（ｘ１，ｙ１）、および画像サイズ（ｘ２，ｙ２）データ、
表示開始位置（ｘ３，ｙ３）、および表示画像サイズ（ｘ４，ｙ４）データ、
【００３０】
まず、表示領域設定手段２１２は、制御手段２１３から提供される画像切り出し開始位置（ｘ１，ｙ１）、および画像サイズ（ｘ２，ｙ２）データに基づいて、メモリ２１１に格納された画像データから、設定領域の画像データ切り出す表示領域設定処理を実行する。この表示領域設定処理によって画像データ２５１の切り出しが行われる。
【００３１】
次に、Ｎ倍密変換処理手段２１４は、制御手段２１３から提供される切り出し画像サイズとしての画像サイズ（ｘ２，ｙ２）データ、および表示開始位置（ｘ３，ｙ３）、表示画像サイズ（ｘ４，ｙ４）データに基づいて、切り出し画像データ２５１の拡縮処理としてのＮ倍密変換処理を実行する。すなわち、切り出し画像サイズとしての画像サイズ（ｘ２，ｙ２）データと、表示画像サイズ（ｘ４，ｙ４）データに基づいて、Ｎ倍密画像変換としてのＮの値を算出し、算出したＮ値に基づいて、ラインの補間または間引き処理等を実行する。この倍密変換処理により、表示画像データ２５２が生成される。
【００３２】
表示領域設定手段２１２における画像切り出し処理の具体的処理例について、図４を参照して説明する。例えば表示対象データ図４（ａ）に示すデータとして、隣接する画像表示装置、例えば図４（ｂ）に示すマルチディスプレイ装置における画像表示装置１，２間に図４（ａ）に示すデータを表示する場合を想定する。この場合、各画像表示装置には、有効表示領域２７１、有効表示領域２７１の外周領域としてのオーバースキャン領域を含む領域２７２、および非表示領域を含む領域２７３の領域があり、これら３つの表示領域に対応して各画像表示装置において表示画像の切り出しを行なう態様がある。
【００３３】
図４（ｃ−１）は、隣接する画像表示装置の有効表示領域２７１にそれぞれ表示画像データを分割して全表示する態様であり、図４（ｃ−２）は、隣接する画像表示装置のオーバースキャン領域を含む領域２７２にそれぞれ表示画像データを分割して、有効表示領域に対応する画像データを表示する態様であり、図４（ｃ−３）は、隣接する画像表示装置の非表示領域を含む領域２７３にそれぞれ表示画像データを分割して、有効表示領域に対応する画像データを表示する態様である。
【００３４】
本発明のマルチディスプレイ装置においては、各画像表示装置における画像切り出し処理を各画像表示装置に出力する制御信号、すなわち、切り出し処理制御情報としての画像切り出し開始位置（ｘ１，ｙ１）、および画像サイズ（ｘ２，ｙ２）データに基づいて、行なう構成であるので、各種の表示態様を、この制御信号の設定を変更するのみで、容易に変更可能となる。
【００３５】
また、画像のＮ倍密変換処理においても、同様、図５に示すように、（ａ）に示すマルチディスプレイ装置における画像表示装置１，２，４，５に（ｂ）に示す１つの画像データを４分割して拡大表示ような場合に、（ｂ）の１／４画像２８０を画像表示装置２９０の有効表示領域２９１、有効表示領域２９１の外周領域としてのオーバースキャン領域を含む領域２９２、および非表示領域を含む領域２９３の領域のそれぞれに対応させて倍密変換を実行する複数の処理方法がある。
【００３６】
本発明のマルチディスプレイ装置においては、各画像表示装置におけるＮ倍密変換処理を各画像表示装置に出力する制御信号、すなわち、Ｎ倍密変換処理制御情報としての切り出し画像サイズ（ｘ２，ｙ２）データ、および表示開始位置（ｘ３，ｙ３）、表示画像サイズ（ｘ４，ｙ４）データに基づいて、行なう構成であるので、各種の表示態様を、この制御信号の設定を変更するのみで、容易に変更可能となる。
【００３７】
図２のブロック図に戻り、画像表示装置の処理の説明を続ける。Ｎ倍密変換処理手段２１４の生成した表示画像データ２５２は、表示制御処理手段２１５に提供される。表示制御処理手段２１５は、制御手段２１３の提供する制御信号、同期信号に基づく表示制御を実行する。制御手段２１３は、外部装置、例えばマルチディスプレイ装置の制御を実行するマスター装置、あるいは、リモコン等から制御信号、同期信号を受信し、受信した制御信号、同期信号を表示制御処理手段２１５に供給する。
【００３８】
表示制御処理手段２１５に入力される制御信号には、例えばＯＳＤ（オン・スクリーン・ディスプレイ）等の表示コントロール信号、ドライバ制御信号等を含む。同期信号は、例えば水平同期信号（ＨＳｙｎｃ）、垂直同期信号（ＹＳｙｎｃ）である。
【００３９】
図６を参照して、水平同期信号（ＨＳｙｎｃ）、垂直同期信号（ＹＳｙｎｃ）に基づく、表示制御処理手段２１５における表示制御について説明する。図６に示すように、水平同期信号（ＨＳｙｎｃ）は、有効表示データがスタートする水平方向の位置を示すデータであり、垂直同期信号（ＹＳｙｎｃ）は、有効表示データがスタートする垂直方向の位置を示すデータである。表示制御処理手段２１５は、制御手段２１３から出力される水平同期信号（ＨＳｙｎｃ）、垂直同期信号（ＹＳｙｎｃ）に基づいて、Ｎ倍密変換処理手段２１４から出力される画像データの表示制御を行ない、ＣＲＴ等の表示手段に出力する。
【００４０】
次に、図７を参照して、図２を参照して説明した画像表示装置を複数組み合わせたマルチディスプレイ装置における信号処理について説明する。図７において、マルチディスプレイ装置を構成する画像表示装置として、３つの画像表示装置４１０，４２０，４３０を示している。ここでは３つの画像表示装置例を示すが、画像表示装置数は、任意数として設定可能である。
【００４１】
画像表示装置４１０が、前述した同期信号を他の画像表示装置４２０，４３０に提供する同期マスター表示装置として設定された画像表示装置である。制御信号、すなわち、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等は、リモコン３００から、例えば赤外線送信等により、各画像表示装置４１０，４２０，４３０に送信される。例えば画像表示装置４１０においては、受光部４１６を介して制御信号が受信される。他装置も同様、受光部を介した受信がなされる。
【００４２】
各画像表示装置４１０，４２０，４３０は、先に図２を参照して説明したと同様の構成を持つ。ただし、同期マスター表示装置として設定された画像表示装置４１０は、制御手段４１３において同期信号を生成し、自装置および他の画像表示装置４２０，４３０に対して提供する処理を実行する。
【００４３】
ソース画像データは、例えば画像表示装置４１０においてアンテナ４１７を介して画像データ供給元から受信し、メモリ４１１に格納する。メモリ４１１に格納される画像データは、各画像表示装置自身が表示する画像領域のデータを含む画像データであり、例えばＮＴＳＣデコードされた画像データである。他装置においても同様の処理を実行する。
【００４４】
なお、図７に示す構成においては、リモコン３００は、制御信号供給源としての装置、すなわちマスターであり、マルチディスプレイ装置を構成する画像表示装置４１０，４２０，４３０は、スレーブとなる。ただし、画像表示装置４１０は、同期信号を生成して他装置に提供する構成であり、同期マスターとされる。
【００４５】
同期マスターとしての画像表示装置４１０は、アンテナ４１７を介して入力する画像データをメモリ４１１に格納し、表示領域設定手段４１２において、リモコン３００から、受光部４１６を介して制御手段４１３に入力される制御信号に基づいて、先に図３を参照して説明した画像切り出し処理を実行する。さらに、Ｎ倍密変換処理手段４１４において、リモコン３００から、受光部４１６を介して制御手段４１３に入力される制御信号に基づいて、拡縮処理としてのＮ倍密変換処理を実行する。
【００４６】
さらに、Ｎ倍密変換処理によって生成された表示画像データは、表示制御処理手段４１５において、リモコン３００から、受光部４１６を介して制御手段４１３に入力される制御信号に含まれる例えばＯＳＤ（オン・スクリーン・ディスプレイ）等の表示コントロール信号、および、制御手段４１３の生成する同期信号に基づいて表示制御がなされ、ＣＲＴ等に出力される。
【００４７】
同期マスター以外のスレーブ画像表示装置４２０，４３０は、制御信号、すなわち、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等を、リモコン３００から受光部を介して受信し、また、同期信号を同期マスターとしての画像表示装置４１０の制御手段４１３からバス等の信号伝送路を介して受信し、これらの制御信号および同期信号に基づいて、アンテナを介して受信したソース画像データの切り出し、Ｎ倍密変換処理を実行して、表示画像データを生成し、表示制御処理手段において表示制御された画像データが各画像表示装置のＣＲＴ等のディスプレイに出力される。
【００４８】
制御信号を各画像表示装置に提供するリモコン３００の構成について、図８のブロック図を参照して説明する。リモコン３００は、マルチディスプレイ装置のシステム構成データとしてのマトリクステーブルを格納したメモリ３０１、マトリクステーブルデータの入出力制御、更新処理等を実行するマトリクステーブル制御部３０２、例えば入力キー等のユーザインタフェースからのユーザ入力を受信するコマンド受信部３０３、コマンド受信部３０３からのコマンドを入力し、マトリクステーブル制御部３０２から入力するマトリクステーブルデータに基づいて、各表示装置に対する制御信号を生成する制御信号生成手段３０４、制御信号生成手段３０４の生成した制御信号を各表示装置に対して出力する通信部３０５を有する。
【００４９】
マトリクステーブルについて、図９および図１０を参照して説明する。マトリクステーブルは、マルチディスプレイ装置を構成する画像表示装置の配置情報を格納したテーブルである。図９（ａ）は、画像表示装置の設定情報を入力していない、リセットされた状態のマトリクステーブルを示している。図９（ａ）に示すマトリクステーブルは、水平（Ｈ）方向に−２，−１，０，１，２の５つの位置を持ち、垂直（Ｖ）方向にも同様に−２，−１，０，１，２の５つの位置を持つテーブル例であり、５×５＝２５の位置識別を可能としたテーブル例を示している。
【００５０】
例えば、図９（ｂ）に示すような配置を持つ５つの画像表示装置によりマルチディスプレイ装置を構成する場合を想定する。図９（ｂ）に示す５つの画像表示装置中、画像表示装置４５１を同期信号を提供する同期マスターとしてのスレーブ画像表示装置（Ｓｍ）とし、他の画像表示装置４５２〜４５５を同期マスター画像表示装置から同期信号を受信するスレーブ画像表示装置（Ｓ）とする。
【００５１】
このマルチディスプレイ装置構成の場合、マトリクステーブルは、図９（ｃ）に示すように同期マスターとしてのスレーブ画像表示装置（Ｓｍ）４５１の位置を、マトリクステーブルの中心（０，０）に設定する。なお、（０，０）は、（Ｈ，Ｖ）の位置を示す。その他の画像表示装置を、配置に従って、それぞれ、画像表示装置４５２を（０，１）、画像表示装置４５３を（１，１）、画像表示装置４５４を（１，０）、画像表示装置４５５を（１，−１）に設定して、マトリクステーブルを生成する。
【００５２】
各画像表示装置に対応するマトリクステーブル上の位置データ（Ｈ，Ｖ）は、図１０（ｂ）に示すように、同期マスターに対する相対位置を示す。なお、各画像表示装置には、各画像表示装置を識別する識別子としてのＩＤが設定されるが、このＩＤとして、マトリクステーブル上の位置データ（Ｈ，Ｖ）を用いることが可能である。あるいは、図１０（ｃ）に示すように、それぞれマトリクステーブル上の位置データ（Ｈ，Ｖ）とは異なる個別のＩＤを設定してもよい。これらの識別データは、リモコンからの制御信号に対する付加情報として設定され、各画像表示装置は、付加情報内のＩＤに基づいて、自装置に対する制御信号を判別して抽出する。
【００５３】
図８に示すリモコン３００において、マトリクステーブルは、メモリ３０１に格納され、マルチディスプレイ装置の構成変更情報等に基づいて、マトリクステーブル制御部３０２の制御の下に適宜更新される。
【００５４】
ユーザによるマルチディスプレイ装置を使用した画像データ表示指示、あるいは表示態様選択指示等のコマンドをコマンド受信部が受信すると、制御信号生成手段３０４は、マトリクステーブル制御部３０２から入力するマトリクステーブルデータに基づいて、各表示装置に対する制御信号を生成し、生成した制御信号を通信部３０５を介して各表示装置に対して出力する。
【００５５】
マトリクステーブルは、例えば図１１（ａ）に示すように、リモコン上のディスプレイに表示したり、あるいは、リモコンからデータを送信することにより、図１１（ｂ）に示すように、画像表示装置のディスプレイに表示したりすることが可能である。
【００５６】
次に、本発明のマルチディスプレイ装置を適用した画像表示処理の手順について、フローを参照して説明する。処理は、大きく分けて、マルチディスプレイ装置を構成する画像表示装置の配置構成を入力して、マトリクステーブルを生成あるいは更新した後、画像表示を実行する初期設定を伴う処理と、すでに生成されたマトリクステーブルと、マルチディスプレイ装置を構成する画像表示装置の配置構成との対比処理を実行して、必要に応じてマトリクステーブルの更新を実行して、画像表示を実行する対比処理を伴う処理との２つの処理がある。
【００５７】
まず、図１２を参照して、リモコンにマルチディスプレイ装置を構成する画像表示装置の配置構成を入力して、マトリクステーブルを生成あるいは更新する初期設定処理を含む画像表示処理の手順を説明する。
【００５８】
ステップＳ１０１では、リモコン上のディスプレイに初期設定画面を立ち上げ、ステップＳ１０２において、ユーザが画像表示を実行しようとするマルチディスプレイ装置を構成する画像表示装置の配置構成をリモコンのキー等の入力手段を介して入力する。
【００５９】
リモコンは、コマンド受信部３０３（図８参照）を介して画像表示装置の配置構成情報を受領し、マトリクステーブル制御部３０２に入力情報を出力し、マトリクステーブル制御部３０２が入力情報に基づいて、マトリクステーブルを生成あるいは更新し、メモリ３０１に格納する。ステップＳ１０３では、マルチディスプレイ装置を構成する各画像表示装置に対応して設定される識別子（ＩＤ）と画像表示装置の配置構成のリンクを設定する。このリンク設定処理は、すなわちマトリクステーブルの生成処理である。また、この際、マルチディスプレイ装置を構成する画像表示装置各々に設定されたＩＤ情報を入力格納する。
【００６０】
ステップＳ１０３における処理、すなわちリンク設定処理、マトリクステーブル生成処理の詳細について、図１３のフローを参照して説明する。ステップＳ１５１はマトリクステーブルの初期化処理であり、先に図９を参照して説明したマトリクステーブルに、システム構成が入力されていない状態、すなわち図９（ａ）に示すデータ非格納状態とするマトリクステーブル初期化処理を実行する。
【００６１】
ステップＳ１５２では、マルチディスプレイ装置を構成するデバイス（画像表示装置）を順次１つづつ選択し、ステップＳ１５３において、選択デバイス（画像表示装置）に対して識別子としてのＩＤを設定する。このＩＤは、前述したような配置位置に基づく座標データ（Ｈ，Ｖ）、あるいは１，２，３・・等の単なるシーケンスＮｏ．として設定することが可能である。
【００６２】
次にステップＳ１５４において、設定したＩＤを持つデバイス（画像表示装置）に対して設定ＩＤを送信し、デバイス側では、ステップＳ１６１において、ＩＤを受信し、ステップＳ１６２において受信ＩＤをメモリに格納する。
【００６３】
リモコン側では、ステップＳ１５５において、設定ＩＤをマトリクステーブルに書き込み、ステップＳ１５６において、マルチディスプレイ装置を構成するデバイス（画像表示装置）全てに対するＩＤ設定処理が終了したか否かを判定し、未終了デバイスがある場合は、ステップＳ１５２以下の処理を未終了デバイスに対して実行し、全てのデバイス（画像表示装置）に対するＩＤ設定、マトリクステーブル生成が終了したら処理を終了する。
【００６４】
図１２の表示処理フローに戻り、説明を続ける。上述したステップＳ１０３のリンク設定が終了すると、次に、ステップＳ１０４において、同期信号を生成して他装置に生成同期信号を提供する同期マスターをマルチディスプレイ装置を構成する画像表示装置から１つ選択する。次に、ステップＳ１０５において、ステップＳ１０３で設定したマトリクステーブルに基づいて、各画像表示装置に対する制御信号を生成する。制御信号には、先に説明した通り、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等を含み、これらの信号が、マルチディスプレイ装置を構成する画像表示装置個々のＩＤに対応するデータ数生成される。
【００６５】
生成された制御信号は、ステップＳ１０６において、通信部３０５を介してマルチディスプレイ装置を構成する画像表示装置に対して出力される。ステップＳ１０７において、各画像表示装置は、制御信号を受信し、ステップＳ１０８において、自己に割り当てられたＩＤに基づいて、対応する制御情報を抽出し、画像データの切り出し、Ｎ倍密変換、表示制御を実行して、各表示データの表示を実行する。なお、同期処理は同期マスターから入力する同期信号に基づいて実行される。
【００６６】
次に、図１４を参照して、すでに生成されたマトリクステーブルと、マルチディスプレイ装置を構成する画像表示装置の配置構成との対比処理を実行して、必要に応じてマトリクステーブルの更新を実行して、画像表示を実行する対比処理を伴う処理について説明する。
【００６７】
ステップＳ２０１では、ユーザが画像表示を実行しようとするマルチディスプレイ装置を構成する画像表示装置の配置構成における稼動状況を確認する。すなわち、スイッチＯＮの状態であり稼動可能な画像表示装置を確認する。ステップＳ２０２では、稼動している画像表示装置構成と、リモコンに格納されたマトリクステーブル情報を対比する。マトリクステーブル情報は、先に図１１を参照して説明したように、リモコン上のディスプレイに表示して確認する。ステップＳ２０２において、稼動デバイス（画像表示装置）と、マトリクステーブル情報が一致していると判定した場合は、ステップＳ２０３に進む。
【００６８】
ステップＳ２０２において、稼動デバイスと、マトリクステーブル情報が一致していないと判定した場合は、ステップＳ２１１に進み、同期マスターの稼動状況を判定する。同期マスターが稼動していると判定された場合は、ステップＳ２１２において、稼動デバイスのみによるデバイスＩＤとシステム構成のリンク再設定処理を実行する。このリンク再設定処理は、マトリクステーブルの更新処理、すなわち、稼動デバイスの構成に基づくマトリクステーブルの更新処理として実行される。
【００６９】
また、ステップＳ２１１において、同期マスターが稼動していないと判定されると、ステップＳ２１３に進み、先に図１２を参照して説明した初期設定処理としてのマトリクステーブル更新処理が実行される。この処理には、同期マスターの設定も含む処理となる。
【００７０】
ステップＳ２０３では、予め生成済みのマトリクステーブル、あるいはステップＳ２１２またはＳ２１３で更新されたマトリクステーブルに基づく稼動デバイス（画像表示装置）構成において、表示可能な組み合わせを算出し、ステップＳ２０４において、表示可能な組み合わせに基づく制御信号を生成し、ステップＳ２０５において、表示可能な組み合わせ画像を生成した制御信号に基づいて次々にトグル形式で表示する。
【００７１】
トグル形式の表示処理とは、例えば３×３＝９個の画像表示装置からなるマルチディスプレイ装置である場合には、図１５に示すように各種の表示態様、例えば（１）のように、９個のデバイス（画像表示装置）にそれぞれ個別の画像を表示する組み合わせ、（２）のように左上の４つのデバイス（画像表示装置）に１つの画像データを表示する例、（３）のように右上の４つのデバイス（画像表示装置）に１つの画像データを表示する例、（ｎ）のように、９つのデバイス（画像表示装置）に１つの画像データを表示する例等様々な組み合わせがあり、これらの（１）〜（ｎ）の組み合わせ画像を次々と、一定時間間隔で表示する。この各組み合わせに対応して、制御信号も異なり、リモコンは、それぞれの組み合わせに基づく制御信号を生成し、各画像表示装置に送信する。
【００７２】
ステップＳ２０６では、トグル形式で表示される画像データの組み合わせから、ユーザの選択処理入力がなされたか否かを判定し、入力があるまで、トグル形式の画像表示を継続し、選択入力があった時点で、ステップＳ２０７に進み、選択された画像データ表示形式に従った画像表示を継続して実行する。なお、この処理においても、制御信号には、先に説明した通り、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等を含み、これらの信号が、リモコンからマルチディスプレイ装置を構成する画像表示装置個々に送信され、同期処理は同期マスターから入力する同期信号に基づいて実行される。
【００７３】
なお、先に説明した図１２の初期設定を伴う画像表示処理においても、複数画像の組み合わせを有する場合には、各画像組み合わせについてのトグル形式の画像表示、および選択処理を実行してもよい。
【００７４】
本発明のマルチディスプレイ装置では、各画像表示装置に対して、画像切り出し、Ｎ倍密変換処理用の制御信号をそれぞれ送信し、各画像表示装置は、自装置に対応する制御信号を抽出して表示データを生成する構成とし、また、制御信号は、マルチディスプレイ装置を構成する画像表示装置の配置構成に基づくマトリクステーブルに対応して生成するものであるので、様々な画像表示配置構成に対応した画像表示が可能となる。
【００７５】
図１６に画像表示例を示す。図１６（ａ）は、３×３の９個の画像表示装置によって構成されるマルチディスプレイ装置であり、左上段の２×２の画像表示装置領域５１１、右上の１×２の画像表示装置領域５１２、最下段の３つの１×１の画像表示装置領域５１３，５１４，５１５によって構成したマルチディスプレイ表示例である。
【００７６】
図１６（ｂ）は、画像表示装置と、オープンボックスとの組み合わせ例であり、画像表示領域は、左端の１×３の画像表示装置領域５２１、右上の３×２の画像表示装置領域５２２を有し、オープンボックス領域、５３１，５３２，５３３を有する。オープンボックス領域５３３は、その幅が画像表示装置とは異なる幅を持つ。本発明の画像表示装置では、個々の画像表示装置に対して、個別の制御信号に基づく制御に従って画像表示を実行する構成であるので、任意のスペースを持つオープン領域を設定した場合であっても、制御信号を設定したスペース幅、あるいは高さに基づくデータとして設定することで、図１６（ｂ）の表示態様のように、離間した複数の画像表示装置を用いて一体化した違和感のない画像データ表示を実行することが可能となる。
【００７７】
上述した実施例においては、マルチディスプレイ装置を構成する画像表示装置に対してリモコンから制御信号を送出する構成例を説明した。次に、リモコンを用いず、マルチディスプレイ装置を構成する画像表示装置の１つの選択された画像表示装置を同期信号のみならず、各種の制御信号を生成し、他の画像表示装置に対して提供する構成としたマルチディスプレイ装置構成例について説明する。
【００７８】
図１７に本実施例に係るマルチディスプレイ装置のブロック図を示す。図１７において、マルチディスプレイ装置を構成する画像表示装置として、３つの画像表示装置５１０，５２０，５３０を示している。ここでは３つの画像表示装置例を示すが、画像表示装置数は、任意数として設定可能である。
【００７９】
画像表示装置５１０が、マスター画像表示装置であり、同期信号をスレーブ画像表示装置としての他の画像表示装置５２０，５３０に提供するとともに、制御信号、すなわち、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等についても、スレーブ画像表示装置としての他の画像表示装置５２０，５３０に提供する。
【００８０】
これらの信号は、例えばＩＩＣバス（Ｉｎｔｅｒ−ＩＣバス）５５０等の信号伝送路を介して各画像表示装置間で送受信される。なお、ＩＩＣバス（Ｉｎｔｅｒ−ＩＣバス）は、双方向通信、ランダムアクセス、分散制御、衝突処理可能なデータ通信用バスであり、通常の調歩同期直列伝送と、スタートストップビット方式、オープンコレクタ型ドライブ等による衝突処理、基本伝送単位毎のアクノレッジ（確認応答）処理機能を持つ２線式シリアルバスである。
【００８１】
各画像表示装置５１０，５２０，５３０は、先に図２を参照して説明したと同様の構成を持つ。ただし、マスター表示装置として設定された画像表示装置５１０は、システム制御信号生成手段５１３において同期信号および制御信号を生成し、自装置および他の画像表示装置５２０，５３０に対して提供する処理を実行する。
【００８２】
ソース画像データは、外部の画像供給源から、無線あるいは有線等の各種通信手段を介して、各画像表示装置に入力され、各画像表示装置のメモリに格納される。メモリ４１１に格納される画像データは、各画像表示装置自身が表示する画像領域のデータを含む画像データであり、例えばＮＴＳＣデコードされた画像データである。
【００８３】
マスターとしての画像表示装置５１０は、入力する画像データをメモリ５１１に格納し、表示領域設定手段５１２において、制御手段５１３に入力される制御信号に基づいて、先に図３を参照して説明した画像切り出し処理を実行する。さらに、Ｎ倍密変換処理手段５１４において、システム制御信号生成手段５１３から入力される制御信号に基づいて、拡縮処理としてのＮ倍密変換処理を実行する。
【００８４】
さらに、Ｎ倍密変換処理によって生成された表示画像データは、表示制御処理手段５１５において、システム制御信号生成手段５１３から入力される例えばＯＳＤ（オン・スクリーン・ディスプレイ）等の表示コントロール信号、および、システム制御信号生成手段５１３の生成する同期信号に基づいて表示制御がなされ、ＣＲＴ等に出力される。
【００８５】
マスター以外のスレーブ画像表示装置５２０，５３０は、制御信号、すなわち、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等を、マスター画像表示装置５１０のシステム制御信号生成手段５１３からバス５５０を介して受信し、また、同期信号についてもマスター画像表示装置５１０のシステム制御信号生成手段５１３からバスを介して受信し、これらの制御信号および同期信号に基づいて、入力したソース画像データの切り出し、Ｎ倍密変換処理を実行して、表示画像データを生成し、表示制御処理手段において表示制御された画像データが各画像表示装置のＣＲＴ等のディスプレイに出力する。
【００８６】
次に、本実施例のマルチディスプレイ装置を適用した画像表示処理の手順について、フローを参照して説明する。図１８を参照して、マスターデバイスにマルチディスプレイ装置を構成する画像表示装置の配置構成を入力して、マトリクステーブルを生成あるいは更新する処理を含む画像表示処理の手順を説明する。
【００８７】
ステップＳ３０１では、マルチディスプレイ装置を構成する画像表示装置から１つのマスターデバイスを選択してＯＮとし、ステップＳ３０２において、マスターデバイスのディスプレイに初期設定画面を立ち上げる。ステップＳ３０３では、ユーザが画像表示を実行しようとするマルチディスプレイ装置を構成する画像表示装置の配置構成をマスターデバイスの入力手段を介して入力する。
【００８８】
マスターデバイスは、入力部５１６（図１７参照）を介して画像表示装置の配置構成情報を受領し、マトリクステーブル格納メモリ５１７にシステム制御信号生成手段５１３を介して入力情報を出力し、システム制御信号生成手段５１３が入力情報に基づいて、マトリクステーブルを生成あるいは更新し、メモリ５１７に格納する。ステップＳ３０４では、マルチディスプレイ装置を構成する各画像表示装置に対応して設定される識別子（ＩＤ）と画像表示装置の配置構成のリンクを設定する。このリンク設定処理は、すなわちマトリクステーブルの生成処理である。また、この際、マルチディスプレイ装置を構成する画像表示装置各々に設定されたＩＤ情報を入力格納する。
【００８９】
ステップＳ３０４における処理、すなわちリンク設定処理、マトリクステーブル生成処理の詳細は、先に図１３のフローを参照して説明したと同様の処理である。
【００９０】
ステップＳ３０４のリンク設定が終了すると、次に、ステップＳ３０５において、生成したマトリクステーブルに基づいて、各画像表示装置に対する制御信号を生成する。制御信号には、先に説明した通り、画像切り出し開始位置（ｘ１，ｙ１）、および画像サイズ（ｘ２，ｙ２）データ、表示開始位置（ｘ３，ｙ３）、および表示画像サイズ（ｘ４，ｙ４）データ、および、ＯＳＤ（オン・スクリーン・ディスプレイ）等の表示コントロール信号、ドライバ制御信号等を含み、これらの信号が、マルチディスプレイ装置を構成する画像表示装置個々のＩＤに対応するデータ数生成される。
【００９１】
生成された制御信号は、ステップＳ３０６において、自装置およびバスを介してマルチディスプレイ装置を構成するスレーブ画像表示装置に対して出力される。ステップＳ３０７において、各画像表示装置は、制御信号を受信し、ステップＳ３０８において、自己に割り当てられたＩＤに基づいて、対応する制御情報を抽出し、画像データの切り出し、Ｎ倍密変換、表示制御を実行して、各表示データの表示を実行する。なお、同期処理もマスターから入力する同期信号に基づいて実行される。
【００９２】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００９３】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００９４】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９５】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、そのようにして転送されてくるプログラムを受信し、内蔵するハードディスク等の記録媒体にインストールすることができる。
【００９６】
なお、明細書に記載された各種の処理は、記載に従って時系列に実行されるのみならず、処理を実行する装置の処理能力あるいは必要に応じて並列的にあるいは個別に実行されてもよい。
【産業上の利用可能性】
【００９７】
以上説明してきたように、本発明の一実施例の構成によれば、画像表示可能なディスプレイを有する画像表示装置を複数組み合わせたマルチディスプレイ装置において、マスター装置が、マルチディスプレイ装置の構成、あるいは画像表示装置の表示領域構成の少なくともいずれかの構成に応じた画像データ処理用の制御信号を、マルチディスプレイ装置を構成する個々の画像表示装置に対して送信し、各画像表示装置において制御信号を受信して、制御信号に含まれるデータを適用して自装置のディスプレイに表示すべき画像データ生成処理を実行する構成とした。具体的には、例えば、マルチディスプレイ装置の構成に含まれる任意のスペースを持つオープン領域のスペース幅または高さ情報に基づく制御信号や、画像表示装置の有効表示領域などを考慮した制御信号によって、表示制御を行なう構成としたので、様々なマルチディスプレイシステム構成に応じた柔軟な表示制御が可能となる。
【図面の簡単な説明】
【００９８】
【図１】本発明のマルチディスプレイ装置の構成概要を説明する図である。
【図２】本発明のマルチディスプレイ装置を構成する画像表示装置の構成を示すブロック図である。
【図３】本発明のマルチディスプレイ装置を構成する画像表示装置において実行する画像切り出し処理について説明する図である。
【図４】本発明のマルチディスプレイ装置を構成する画像表示装置において実行する画像切り出し処理の態様について説明する図である。
【図５】本発明のマルチディスプレイ装置を構成する画像表示装置において実行するＮ倍密変換処理の態様について説明する図である。
【図６】本発明のマルチディスプレイ装置を構成する画像表示装置において実行する表示制御処理について説明する図である。
【図７】本発明のマルチディスプレイ装置の一実施例としてのリモコンを用いた実施例構成を示すブロック図である。
【図８】本発明のマルチディスプレイ装置の一実施例としてのリモコンを用いた実施例におけるリモコン構成を示すブロック図である。
【図９】本発明のマルチディスプレイ装置において適用するマトリクステーブルについて説明する図である。
【図１０】本発明のマルチディスプレイ装置において適用するマトリクステーブルについて説明する図である。
【図１１】本発明のマルチディスプレイ装置において適用するマトリクステーブル表示例について説明する図である。
【図１２】本発明のマルチディスプレイ装置における処理手順を説明するフロー図である。
【図１３】本発明のマルチディスプレイ装置における処理手順としてのリンク生成処理を説明するフロー図である。
【図１４】本発明のマルチディスプレイ装置における処理手順を説明するフロー図である。
【図１５】本発明のマルチディスプレイ装置におけるトグル処理手順を説明するフロー図である。
【図１６】本発明のマルチディスプレイ装置における表示処理例を説明する図である。
【図１７】本発明のマルチディスプレイ装置の一実施例としてのマスターデバイスを用いた実施例構成を示すブロック図である。
【図１８】本発明のマルチディスプレイ装置の一実施例としてのマスターデバイスを用いた実施例の画像表示処理手順を示すフロー図である。
【符号の説明】
【００９９】
１０１  画像表示装置
１０２  オープンボックス
１１１〜１１５  画像表示装置
１２１  オープンボックス
１３１  オープンボックス
１４１  オープンボックス
２１０  画像表示装置
２１１  メモリ
２１２  表示領域設定手段
２１３  制御手段
２１４  Ｎ倍密変換処理手段
２１５  表示制御処理手段
２５１  画像データ
２５２  画像データ
２８０  画像データ
３００  リモコン
３０１  メモリ
３０２  マトリクステーブル制御部
３０３  コマンド受信部
３０４  制御信号生成手段
３０５  通信部
４１０，４２０，４３０  画像表示装置
４１１  メモリ
４１２  表示領域設定手段
４１３  制御手段
４１４  Ｎ倍密変換処理手段
４１５  表示制御処理手段
４１６  受光部
４５１〜４５５  画像表示装置
５１０，５２０，５３０  画像表示装置
５１１  メモリ
５１２  表示領域設定手段
５１３  システム制御信号生成手段
５１４  Ｎ倍密変換処理手段
５１５  表示制御処理手段
５１６  入力部
５１７  メモリ
５５０  バス
【図１】
2006338044.tif 000003
【図２】
2006338044.tif 000004
【図３】
2006338044.tif 000005
【図４】
2006338044.tif 000006
【図５】
2006338044.tif 000007
【図６】
2006338044.tif 000008
【図７】
2006338044.tif 000009
【図８】
2006338044.tif 000010
【図９】
2006338044.tif 000011
【図１０】
2006338044.tif 000012
【図１１】
2006338044.tif 000013
【図１２】
2006338044.tif 000014
【図１３】
2006338044.tif 000015
【図１４】
2006338044.tif 000016
【図１５】
2006338044.tif 000017
【図１６】
2006338044.tif 000018
【図１７】
2006338044.tif 000019
【図１８】
2006338044.tif 000020